(57)【要約】【課題】クロストークは十分に低減できる光送受信器を提供する。【解決手段】受信ユニット１７では、信号処理回路２１の一対の入力２７ａ、２７ｂは、光電気変換回路２７の一対の出力２７ａ、２７ｂにそれぞれ接続されており、信号光Ｌ２を受ける光電気変換回路２７からの差動信号ＳＩＮ１およびＳＩＮ２をそれぞれ受ける。キャパシタ２３は、信号処理回路２１の一対の入力２１ａ、２１ｂに接続された一対の端子２３ａ、２３ｂ間にオフセット電圧ＶＯＦＦを保持する。オフセット電圧ＶＯＦＦは、一対の入力２１ａ、２１ｂに提供される。オフセット電圧設定回路２５は、該キャパシタ２３の一対の端子２３ａ、２３ｂにそれぞれの接続された第１および第２の入力２５ａ、２５ｂ並びにキャパシタ２３の一対の端子２３ａ、２３ｂの一方の端子２３ａに接続された出力２５ｃを有しており、オフセット電圧ＶＯＦＦを設定する。【選択図】  図１
2005328384.tif 000002
【特許請求の範囲】
【請求項１】
光送信ユニットと光受信ユニットを備える光送受信器において、該光受信ユニットは、
信号光を受け該信号光に対応した相補的な差動信号を生成する光電気変換回路と、
該相補的な差動信号を受ける一対の入力と、該差動信号を増幅、処理した相補的な信号を出力する一対の出力とを有する信号処理回路と、
該信号処理回路の一対の入力間に入力オフセット電圧を設定するオフセット電圧設定回路と
を備える光送受信器。
【請求項２】
前記信号処理回路はさらに前記一対の出力と前記一対の入力との間に、前記信号処理回路の入力オフセット電圧を補償する帰還回路を備えている、ことを特徴とする請求項１に記載の光送受信器。
【請求項３】
前記オフセット電圧設定回路は、
前記信号処理回路の入力オフセット電圧を検出し増幅する第１の増幅器と、
該第１の増幅器の出力と基準信号を比較する第２の増幅器と
を備え、
前記信号処理回路の入力オフセット電圧は、該第２の増幅器の出力により設定される、ことを特徴とする請求項１または２の記載の光送受信器。
【請求項４】
前記基準信号を生成する基準電圧源をさらに備え、前記基準信号は温度補償されている、ことを特徴とする請求項３に記載の光送受信器。
【発明の詳細な説明】
【技術分野】
【０００１】
本発明は、光送受信器に関する。
【背景技術】
【０００２】
文献１（特開平８−３３０６５５号公報）には、差動増幅器を電流源回路により駆動するレーザダイオード駆動回路が記載されている。差動増幅器の一方の出力端子は、出力段バイアスコイル回路を介して正電源端子に接続されており、また低周波帯域用の結合コンデンサを介して寄生インダクタンスを有するレーザダイオードに接続されている。この出力端子には、寄生インダクタンスと寄生容量との並列共振回路に並列にインピーダンス回路が接続される。これによって、レーザダイオードを流れる電流の値を制限する。この結果、寄生インダクタンス及び寄生容量からのＬＣ共振周波数における光出力波形のオーバーシュート又はアンダーシュートを無くす。
【０００３】
文献２（特開平７−１６２１８６号公報）には、光送信機から光受信機への漏話を防止し、これにより受信感度の低下を防止する光送受信ユニットが記載されている。光送受信ユニットは、多層プリント配線板と、この多層プリント配線板を収容する下ケースと、下ケースに被せられて多層プリント配線板を上下ケース内に封入する上ケースとを含んでいる。下ケースの側壁に発光素子モジュールと、受光素子モジュールが取り付けられている。プリント配線板は送信回路を搭載する第１領域と、受信回路を搭載する第２領域を有しており、第１及び第２領域の間は下ケースに固定された第１シールド板と、上ケースに固定された第２シールド板とにより電磁的に分離されている。
【０００４】
文献３（特開２０００−３５７８０３号公報）には、光伝送モジュールが記載されている。光リンクは、レセプタクル，プラスティックパッケージ，シールドケースの３部品を用いて、放射雑音および外来雑音をシールドケースによって防ぐこと、シールド配線を既存のリードピンを用いて達成すること、また光ファイバと発光素子および受光素子との結合効率を低下させないことを達成する。これによって、 光リンクは、放射雑音および外来雑音がシールドケースによって防がれ、シールド配線が既存のリードピンを用いて達成され、また光ファイバと発受光素子との結合効率が低下させない。
【特許文献１】特開平８−３３０６５５号公報
【特許文献２】特開平７−１６２１８６号公報
【特許文献３】特開２０００−３５７８０３号公報
【発明の開示】
【発明が解決しようとする課題】
【０００５】
文献１のレーザダイオード駆動回路は、フィルタを用いて光送信器の駆動電流の高周波成分を除いている。このフィルタリングにより、放射ノイズが低減され、この結果、クロストークが低減される。文献１では、光送信器によって発生されるノイズを減らすレーザダイオード駆動回路が記載されている。また、文献２の光送受信ユニットは、受信器を送信器からシールドしている。このシールドによって、クロストークが低減される。光送受信ユニットでは、シールドによって受信器は送信器から分離される。文献３の光リンクは、光モジュールにシールド用のカバーを設けている。このカバーによって、クロストークが低減される。光リンクでは、ノイズに敏感な受信器のためにカバーを設けている。文献２および文献３では、受信回路に到達するノイズの量を低減する技術が記載されている。
【０００６】
光送受信器のサイズの更なる小型化が求められている。故に、光送受信器は、その構成部品のためにより小さなキャビティしか提供できない。しかしながら、クロストークは十分に低減されなければならない。
【０００７】
そこで、本発明の目的は、上記の事項を鑑みて為されたものであり、光受信回路に伝わってしまったノイズによるクロストークは低減できる光送受信器を提供することとしている。
【課題を解決するための手段】
【０００８】
本発明の一側面によれば、光送受信器は、光送信ユニットと光受信ユニットを備える光送受信器において、該光受信ユニットは、（ａ）信号光を受け該信号光に対応した相補的な差動信号を生成する光電気変換回路と、（ｂ）該相補的な差動信号を受ける一対の入力と、該差動信号を増幅、処理した相補的な信号を出力する一対の出力とを有する信号処理回路と、（ｃ）該信号処理回路の一対の入力間に入力オフセット電圧を設定するオフセット電圧設定回路とを備える。
【０００９】
この光送受信器によれば、オフセット電圧設定回路は、光送信ユニット内の送信信号と光受信ユニット内の受信信号との間の位相差に依存しないオフセット電圧を光受信器の信号処理回路に提供できる。
【００１０】
本発明の光送受信器では、前記信号処理回路はさらに前記一対の出力と前記一対の入力との間に、前記信号処理回路の入力オフセット電圧を補償する帰還回路を備えている。
【００１１】
この光送受信器によれば、信号処理回路が固有に有する入力オフセットを補償できる。
【００１２】
本発明の光送受信器では、前記オフセット電圧設定回路は、（ｃ１）前記信号処理回路の入力オフセット電圧を検出し増幅する第１の増幅器と、（ｃ２）該第１の増幅器の出力と基準信号を比較する第２の増幅器とを備え、前記信号処理回路の入力オフセット電圧は、該第２の増幅器の出力により設定される。
【００１３】
この光送受信器によれば、第１の増幅器が入力オフセット電圧を検出し増幅すると共に第２の増幅器が該第１の増幅器の出力と基準信号を比較するので、光オフセット電圧設定回路は信号処理回路の入力オフセット電圧を発生できる。
【００１４】
本発明の光送受信器は、前記基準信号を生成する基準電圧源をさらに備え、前記基準信号は温度補償されている。
【００１５】
この光送受信器によれば、信号処理回路は、温度補償された基準オフセットを受ける。
【００１６】
本発明の上記の目的および他の目的、特徴、並びに利点は、添付図面を参照して進められる本発明の好適な実施の形態の以下の詳細な記述から、より容易に明らかになる。
【発明の効果】
【００１７】
以上説明したように、本発明によれば、クロストークは十分に低減できる光送受信器が提供される。
【発明を実施するための最良の形態】
【００１８】
本発明の知見は、例示として示された添付図面を参照して以下の詳細な記述を考慮することによって容易に理解できる。引き続いて、添付図面を参照しながら、本発明の光送受信器に係わる実施の形態を説明する。可能な場合には、同一の部分には同一の符号を付する。
【００１９】
（第１の実施の形態）
図１は、第１の実施の形態に係る光送受信器を示す概略図である。光送受信器１１は、光送信ユニット１３および光受信ユニット１７を有する。光送信ユニット１３は、光ファイバ１５に提供される光信号Ｌ１を生成する。光受信ユニット１７は、光ファイバ１９から受けた光信号Ｌ２を受ける。光送信ユニット１３は、レーザダイオード１３ａと、このレーザダイオード１３ａを駆動するドライバ１３ｂを含んでおり、これらが動作することによりノイズＮを発生する。このノイズＮの一部は、受信ユニット１７に伝わる。
【００２０】
受信ユニット１７は、信号処理回路２１と、キャパシタ２３と、オフセット電圧設定回路２５とを備える。信号処理回路２１は、一対の入力２１ａ、２１ｂと一対の出力２１ｃ、２１ｄとを有する。光電気変換回路２７は、信号光Ｌ２を受け該信号光Ｌ２に対応した相補的な差動信号ＳＩＮ１およびＳＩＮ２を生成する。信号処理回路２１の一対の入力２１ａ、２１ｂは、信号光Ｌ２を受ける光電気変換回路２７の一対の出力２７ａ、２７ｂにそれぞれ接続されており、結合キャパシタ３３ａ、３３ｂを介して光電気変換回路２７からの差動信号ＳＩＮ１およびＳＩＮ２をそれぞれ受ける。信号処理回路２１は、該差動信号ＳＩＮ１およびＳＩＮ２を増幅、処理した相補的な信号を一対の出力２１ｃ、２１ｄに出力する。オフセット電圧設定回路２５は、該信号処理回路２１の一対の入力２１ａ、２１ｂ間に入力オフセット電圧を設定する。オフセット電圧設定回路２５は、光送信ユニット１３内の送信信号と光受信ユニット１７内の受信信号との間の位相差に依存しないオフセット電圧を信号処理回路２１に提供できる。キャパシタ２３は、信号処理回路２１の一対の入力２１ａ、２１ｂにそれぞれ接続された一対の端子２３ａ、２３ｂを有しており、一対の端子２３ａ、２３ｂ間にオフセット電圧ＶＯＦＦを保持する。オフセット電圧ＶＯＦＦは、一対の入力２１ａ、２１ｂに提供される。オフセット電圧設定回路２５は、該キャパシタ２３の一対の端子２３ａ、２３ｂにそれぞれの接続された第１および第２の入力２５ａ、２５ｂ並びにキャパシタ２３の一対の端子２３ａ、２３ｂの一方の端子２３ｂに接続された出力２５ｃを有しており、オフセット電圧ＶＯＦＦを設定する。
【００２１】
オフセット電圧設定回路２５は、キャパシタ２３の一対の端子２３ａ、２３ｂ間に印加されるオフセット電圧ＶＯＦＦを生成する。このオフセット電圧ＶＯＦＦはキャパシタ２３の一対の端子２３ａ、２３ｂ間に保持される。このオフセット電圧ＶＯＦＦは、信号処理回路２１の一対の入力２１ａ、２１ｂに提供される。オフセット電圧設定回路２５は、光送信器内の送信信号と光受信器内の受信信号との間の位相差に依存しないオフセット電圧ＶＯＦＦを光受信ユニット１７の信号処理回路２１に提供できる。
【００２２】
光送受信器１１は、帰還回路２９を更に備えることができる。帰還回路２９は、信号処理回路２１の一対の入力２１ａ、２１ｂと一対の出力２１ｃ、２１ｄとの間に接続されており、これにより、信号処理回路２１の入力オフセットが補償される。帰還回路２９はキャパシタ２３の一対の端子２３ａ、２３ｂに接続されている。帰還回路２９は、第１の抵抗２９ａおよび第２の抵抗２９ｂを含む。第１の抵抗２９ａの一端は信号処理回路２１の出力２１ｃに接続されており、第１の抵抗２９ａの他端は、第３の抵抗３１ａを介して信号処理回路２１の入力２１ｂに接続される。第２の抵抗２９ｂの一端は信号処理回路２１の出力２１ｄに接続されており、第２の抵抗２９ｂの他端は、第４の抵抗３１ｂを介して信号処理回路２１の入力２１ａに接続される。この光送受信器１１によれば、信号処理回路２１が固有に有する入力オフセットＶＩＮＨを補償できる。
【００２３】
光受信器もしくは光送受信器において、光送信器を動作させると、クロストークにより、受信ユニットの入力オフセット電圧が変動する。この変動により受信感度の低下が起こる。
【００２４】
クロストークは、送信回路に起因するノイズＮが受信回路に伝わり受信回路の信号波形を乱すことにより発生する。この結果、受信信号のＳ／Ｎが劣化する。送信回路からのノイズＮが受信回路の信号と同期しないランダムなノイズの場合、そのノイズ電力に比例したクロストークにより、受信信号のＳ／Ｎを低下させることが考えられる。また、送信回路からのノイズが受信回路の信号と同期した信号の場合、角周波数ＯＭＥＧＡの信号成分に関するクロストークを含む受信信号ＳＸは、受信回路の信号Ｓ０＝Ａ×ｃｏｓ（ＯＭＥＧＡ×ｔ）、送信回路と受信回路の信号の位相差ＰＨＩ、送信回路と受信回路との間のクロストークに関する結合係数ｍを用いて、
ＳＸ＝Ａ×ｃｏｓ（ＯＭＥＧＡ×ｔ）[１＋ｍ×ｃｏｓ（ＯＭＥＧＡ×ｔ＋ＰＨＩ）]
＝Ａ×ｃｏｓ（ＯＭＥＧＡ×ｔ）＋Ａ×ｍ／２×ｃｏｓ（２ＯＭＥＧＡ×ｔ）＋Ａ×ｍ／２×ｃｏｓ（ＰＨＩ）
となる。
【００２５】
帰還回路を用いて入力オフセット電圧を打ち消す受信器では、信号処理回路の出力信号の積分（平均）出力を逆相の入力にフィードバックして、受信回路の入力オフセット電圧をキャンセルしている。光送受信器にクロストークがないとき、上式でｍ＝０の場合に相当するので、受信信号ＳＸの積分値は、ゼロになる。光送受信器にクロストークがあるとき、受信信号ＳＸの積分値は、Ａ×ｍ／２×ｃｏｓ（ＰＨＩ）となる。
【００２６】
したがって、クロストークにより、信号処理回路の入力に電圧オフセットＡ×ｍ／２×ｃｏｓ（ＰＨＩ）が生じている。この電圧オフセットが、受信感度を低下させる。さらには、クロストークは、送信回路と受信回路の信号の位相差ＰＨ１に依存しているので、長距離伝送してきた光信号のように受信信号の位相が揺らぐ場合、位相の揺らぎに応じて電圧オフセットが揺らぐことになる。つまり、誤り率が揺らぐ原因となる。
【００２７】
クロストークの影響を最小限にするためには、送信回路と受信回路の信号の位相差ＰＨＩを９０度にすれば、位相揺らぎを取り除くことができる。しかしながら、この位相の制御は、長距離伝送された光信号では不可能である。一方、送信回路と受信回路の信号の位相差ＰＨＩに依存しないオフセット電圧、理想的には 送信回路と受信回路の信号の位相差ＰＨＩの変動に対して誤り率を最低にするオフセット電圧もしくはクロストークの存在しない場合のオフセット電圧、を生成するオフセット電圧設定回路を設ければ、位相差ＰＨＩの変動に影響されることなく、位相揺らぎの影響を取り除いたクロストークが最小となる光受信器もしくは光送受信器を提供できる。
【００２８】
（第２の実施の形態）
図２は、第２の実施の形態に係る光受信器を示す回路図である。光受信器４１は、光電気変換回路４３と、信号処理回路４５と、キャパシタ４７と、オフセット電圧設定回路４９とを備える。光電気変換回路４３は、信号光を受けて該信号光に対応した相補的な差動信号を生成する。光電気変換回路４３は、フォトダイオードといった受光素子５１、トランスインピーダンスアンプ５３、および増幅器５５を含む。トランスインピーダンスアンプ５３は、受光素子５１からの電流信号ＩＬを電圧信号ＶＬに変換すると共に、該電圧信号を増幅する。増幅器５５は、電圧信号ＶＬに応答する差動信号ＳＩＮ１およびＳＩＮ２を提供する。光電気変換回路４３の出力４３ａ、４３ｂは、それぞれ、リミティングアンプといった信号処理回路４５の入力４５ａ、４５ｂにキャパシタ５７ａおよび５７ｂを介して接続されている。信号処理回路４５は、該差動信号を増幅、処理した相補的な信号を一対の出力４５ｃ、４５ｄに出力する。オフセット電圧設定回路４９は、該信号処理回路４５の一対の入力４５ａ、４５ｂ間に入力オフセット電圧を設定する。キャパシタ４７は、信号処理回路４５の一対の入力４５ａ、４５ｂに接続された一対の端子４７ａ、４７ｂを有しており、一対の端子４７ａ、４７ｂ間にオフセット電圧ＶＯＦＦを保持する。オフセット電圧ＶＯＦＦは、一対の入力４５ａ、４５ｂに提供される。
【００２９】
信号処理回路４５の一対の入力４５ａ、４５ｂと一対の出力４５ｃ、４５ｄとの間には、帰還回路６１といった出力信号を逆相の入力にそれぞれフィードバックするためにフィードバック手段が接続されている。帰還回路６１は、キャパシタ４７の一対の端子４７ａ、４７ｂと信号処理回路４５の一対の出力４５ｃ、４５ｄとの間にそれぞれ接続される第１および第２の抵抗６１ａ、６１ｂを含む。また、帰還回路６１は、キャパシタ４７の一対の端子４７ａ、４７ｂと信号処理回路４５の一対の入力４５ｂ、４５ａとの間にそれぞれ接続される第３および第４の抵抗６１ｃ、６１ｄを含む。キャパシタ４７は、抵抗６１ｃ、６１ｄを含む接続手段を介して一対の入力４５ａ、４５ｂにそれぞれ接続される。
【００３０】
オフセット電圧設定回路４９は、該キャパシタ４７の一対の端子４７ａ、４７ｂにそれぞれの接続された第１および第２の入力４９ａ、４９ｂと、キャパシタ２３の一方の端子４７ｂに接続された出力４７ｃとを有しており、オフセット電圧ＶＯＦＦを設定する。
【００３１】
オフセット電圧設定回路４９は、第１の差動増幅器６７および第２の差動増幅器６５を含む。第１の差動増幅器６７の入力６７ａは第５の抵抗６９を介して入力４９ａからの信号を受けており、他方の入力６７ｂは第６の抵抗７１を介して入力４９ｂからの信号を受ける。第１の差動増幅器６７の出力６７ｃは、第７の抵抗７３を介して入力６７ａに接続されている。第１の差動増幅器６７の入力６７ｂは第８の抵抗７５を介して基準電圧源７７に接続されている。基準電圧源７７は、基準信号ＶＲＥＦを提供する。第１の差動増幅器６７の入力６７ａはキャパシタ７９を介して出力６７ｃに接続されている。
【００３２】
第２の差動増幅器６５は、第１の差動増幅器６７の出力６７ｃからの第１の信号Ｓ１を受ける第１の入力６５ａ、基準信号ＶＳＥＴを示す第２の信号Ｓ２を受ける第２の入力６５ｂ、およびキャパシタ４７の一端子４７ｂに接続された出力６５ｃを有する。
【００３３】
第１の差動増幅器６７は、キャパシタ４７の一対の端子４７ａ、４７ｂ間の電圧を増幅して、この電圧に係る第１の信号Ｓ１を生成する。第２の差動増幅器６５は、第１の信号Ｓ１および第２の信号Ｓ２に応答して、これらの信号Ｓ１、Ｓ２の間の差に係る差信号Ｓ３を生成する。この差信号Ｓ３は、キャパシタ４７の一端子４７ｂおよび第１の差動増幅器６７の入力６７ｂに加えられる。これ故に、キャパシタ４７の一対の端子４７ａ、４７ｂ間の電圧は一定に保たれる。
【００３４】
光送受信器４１は、基準信号ＶＳＥＴを生成する基準電圧源８１を更に備えることができる。基準電圧源８１からの基準信号ＶＳＥＴは温度補償されていることが好ましい。これによって、信号処理回路４５は、温度補償された基準オフセットＶＯＦＦを受ける。例えば、設定電圧に温度特性を持たせるために、温特補償のためのルックアップテーブル（ＬＵＴ）を内蔵したアナログデジタル変換器（ＤＡＣ）および温度モニタを用いるようにしてもよい。このＤＡＣは、温度モニタからの信号を受けるＣＰＵによって制御される。これにより、信号処理回路の固有の入力オフセットの温度特性も補償することができる。
【００３５】
図２に示した一実施例の回路では、オフセット電圧設定回路に可変電圧源８１を用いているけれども、この基準電圧は、例えば、定電圧源からの電圧を抵抗分割回路によって発生されることもでき、或いはデジタルアナログ変換器（ＤＡＣ）によって発生されるようにしてもよい。
【００３６】
第１の差動増幅器６７が所望の増幅率を有するように、第５の抵抗６９（Ｒ５）と第７の抵抗７３（Ｒ７）との比を決定する。第５の抵抗６９（Ｒ５）および第６の抵抗７１（Ｒ６）は、例えば、１０キロオームであり、第７の抵抗７３（Ｒ７）および第８の抵抗７５（Ｒ８）は、例えば、５１０キロオームである。一実施例の光受信器の最適なオフセット電圧は、２ミリボルトである。実験によれば、オフセット電圧が２ミリボルトより高い場合、データ“１”のデータ誤りの割合がデータ“０”のデータ誤りの割合より大きくなり、オフセット電圧が２ミリボルトより低い場合、データ“０”のデータ誤りの割合がデータ“１”のデータ誤りの割合より大きくなり、また、オフセット電圧２ミリボルトであるとき、データ誤り率が最小となる。したがって、この光受信器では、電圧オフセットの２ミリボルトは、最適な値である。
【００３７】
本実施例では、第１の差動増幅器６７は、このオフセット電圧を所望の増幅率で増幅器する。第１の差動増幅器６７の出力には、増幅されたオフセット電圧が現れる。増幅されたオフセット電圧は、例えば１００ミリボルトである。基準電圧源７７からの基準信号ＶＲＥＦ＝１．２５ボルトとすると共に基準電圧源８１からの基準信号ＶＳＥＴ＝１．３５ボルト（＝０．１ボルト＋ＶＲＥＦ）とすると、オフセット電圧設定回路４９を用いてキャパシタ４７の両端に最適なオフセット電圧が保持される。
【００３８】
２．４８８３２Ｇｂ／ｓで変調され−３５ｄＢｍ程度のレベルを有する光信号を光源から該光受信器に入力して、キャパシタ４７の両端に現れるオフセット電圧および光受信器の誤り率を評価した。図３は、オフセット電圧設定回路を含む光受信器における電圧オフセットを示すグラフである。図４は、オフセット電圧設定回路を含む光受信器における誤り率を示すグラフである。図３および図４の横軸は送信回路の信号と受信回路の信号との位相差を示す。図３および図４によれば、オフセット電圧設定回路は、送信回路の信号と受信回路の信号との位相差にかかわらず、光受信回路の電圧オフセットをほぼ一定に保つことが可能であり、これによって誤り率をほぼ一定にできることが示される。
【００３９】
図５は、オフセット電圧設定回路を含まない光受信器における電圧オフセットを示すグラフである。図６は、オフセット電圧設定回路を含まない光受信器における誤り率を示すグラフである。図５および図６の横軸は送信回路の信号と受信回路の信号との位相差を示す。この光受信器の信号処理回路は、信号処理回路の固有の入力オフセットを補償するために、該信号処理回路の一対の入力と一対の出力とをそれぞれ接続する帰還回路を含む。この光受信器に、２．４８８３２Ｇｂ／ｓで変調されており−３５ｄＢｍ程度のレベルを有する光信号を光源から入力して、帰還回路内のキャパシタの両端に現れるオフセット電圧および光受信器の誤り率を評価している。
【００４０】
光送信器を動作することなく光受信器に光信号を入力したとき、電圧オフセットは２ミリボルトである。光送信器の動作中に光受信器に光信号を入力したとき、電圧オフセットは５ミリボルトである。また、電圧オフセットは、送信回路の信号と受信回路の信号との位相差に応じて変化する。電圧オフセットが２ミリボルト程度になる位相差において、誤り率が極小になる。
【００４１】
光送受信器および光受信器では、光受信器が処理する信号は、光送信器が処理する信号に同期する信号成分（同期信号成分）と同期しない信号成分（非同期信号成分）から成る。非同期信号成分は、受信信号のＳ／Ｎ比を低下させるクロストークである。同期信号成分は、信号処理回路の入力オフセットが送信回路の信号と受信回路の信号との位相差に依存して変化しており、受信感度低下を引き起こしている。この点に着目し、本願に係る実施の形態の光送受信器および光受信器は、電圧オフセットを一定にするための回路を用いて、信号処理回路の電圧オフセットによる影響を低減している。
【００４２】
送信回路から受信回路を分離するためにシールドおよびシールドカバーを用いても、配線を介して侵入するノイズおよび電気回路を通じて侵入するノイズに対して効果がない。本実施の形態に係る光送受信器および光受信器によれば、クロストークによる受信感度の低下および受信感度の揺らぎを抑えるために、オフセット電圧設定回路は、光受信回路部の入力オフセット電圧を制御する。電気経路からのノイズが、誤り率を低下させおよび／または誤り率を変動させることを抑えることができる。
【００４３】
光通信に用いられる光受信器のオフセット電圧設定回路は、独立にもしくは送受信器として一体化された光送信回路からのクロストークが最小となるように信号処理回路の入力オフセット値を維持するよう制御する。
【００４４】
好適な実施の形態において本発明の原理を図示し説明してきたが、本発明は、そのような原理から逸脱することなく配置および詳細において変更され得ることは、当業者によって認識される。本発明は、本実施の形態に開示された特定の構成に限定されるものではない。したがって、特許請求の範囲およびその精神の範囲から来る全ての修正および変更に権利を請求する。
【図面の簡単な説明】
【００４５】
【図１】図１は、第１の実施の形態に係る光送受信器を示す概略図である。
【図２】図２は、第２の実施の形態に係る光受信器を示す回路図である。
【図３】図３は、オフセット電圧設定回路を含む光受信器における電圧オフセットを示すグラフである。
【図４】図４は、オフセット電圧設定回路を含む光受信器における誤り率を示すグラフである。
【図５】図５は、オフセット電圧設定回路を含まない光受信器における電圧オフセットを示すグラフである。
【図６】図６は、オフセット電圧設定回路を含まない光受信器における誤り率を示すグラフである。
【符号の説明】
【００４６】
１１…光送受信器、１３…光送信ユニット、１５、１９…光ファイバ、Ｌ１、Ｌ２…光信号、１７…光受信ユニット、２１…信号処理回路、２３…キャパシタ、２５…オフセット電圧設定回路、２７…光電気変換回路、ＶＯＦＦ…オフセット電圧、２９…帰還回路、２９ａ…第１の抵抗、第２９ｂ…第２の抵抗、３１ａ…第３の抵抗、３１ｂ…第４の抵抗、３３ａ、３３ｂ…結合キャパシタ、ＶＩＮＨ…入力オフセット、４１…光受信器、４３…光電気変換回路、４５…信号処理回路、４７…キャパシタ、４９…オフセット電圧設定回路、５１…受光素子、５３…トランスインピーダンスアンプ、５５…増幅器、５７ａ、５７ｂ…キャパシタ、６１ａ、６１ｂ、６１ｃ、６１ｄ…抵抗、６１…帰還回路、６５…第２の差動増幅器、６７…第１の差動増幅器、６９、７１、７３、７５…抵抗、７７…基準電圧源、７９…キャパシタ、ＶＳＥＴ…基準信号、Ｓ１、Ｓ２…信号、Ｓ３…差信号、８１…基準電圧源    
【図１】
2005328384.tif 000003
【図２】
2005328384.tif 000004
【図３】
2005328384.tif 000005
【図４】
2005328384.tif 000006
【図５】
2005328384.tif 000007
【図６】
2005328384.tif 000008